(57)【要約】【課題】  誰でも簡単かつ確実に壁面に取り付けできる吊下具を提供する。【解決手段】  ベース２に壁面に向けて差し込まれる仮止めピン２２を設けてベース２を仮止めした後、ガイド孔２３から本固定用のピンを差し込んで固定する。【選択図】  図２
2006223421.tif 000002
【特許請求の範囲】
【請求項１】
被支持物を壁面に対して吊り下げるための吊下手段を備えた吊下具本体と、上記壁面に対して固定されるベースとを有し、上記ベースを介して上記吊下具本体が上記壁面に取り付けられる吊下具において、
上記ベースには上記被取付面に向けて打ち込まれる仮止めピンが設けられているとともに、上記壁面に向けて本固定用のピンを打ち込むためのガイド孔がさらに設けられていることを特徴とする吊下具。
【請求項２】
上記ガイド孔は上記仮止めピンを中心に対称位置に配置されていることを特徴とする請求項１に記載の吊下具。
【請求項３】
上記ガイド孔は上記壁面に対して所定角度傾けた状態で設けられていることを特徴とする請求項１または２に記載の吊下具。
【発明の詳細な説明】
【技術分野】
【０００１】
本発明は、被対象物を壁面に対して吊り下げて支持しておくための吊下具に関し、さらに詳しくいえば、壁面に対して確実かつ簡単に取り付けることができる釘打ち式の吊下具に関する。
【背景技術】
【０００２】
壁面に帽子などを吊り下げて保管する方法の１つにフック（鉤部）を有する吊下具がある。この吊下具には、壁面に対する位置決めを用意とするため、例えば特許文献１に示すように、前面側（反壁面側）に吊下用のフックを備えた吊下具本体と、吊下具本体の背面側（壁面側）に着脱可能に取り付けられるベースとを有し、ベースには壁面に固定するための両面粘着テープが設けられているものがある。
【０００３】
ところで、吊下具の耐荷重は吊下具と壁面との間の結合力によって決まる。したがって、より大きな耐荷重を得るためには、壁面と吊下具とをより強固に固定する必要がある。そこで、より強力に固定する方法として、両面粘着テープの代わりにピン（釘）を壁面に打ち込んで固定する方法もある（釘打ち式吊下具）。
【０００４】
これによれば、壁面に確実に固定でき、粘着テープで固定した場合よりも耐荷重が数倍大きく設定できる。しかしながら、ピン止めする場合には次のような問題があった。すなわち、ピン止めするに当たっては一旦打ち込んでしまうと簡単には取り外すことはできないため、事前に位置決めを慎重に行わなければならない。
【０００５】
しかしながら、従来の吊下具のベースには単にピン孔（釘孔）が穿設されているのみであるため、設置するに当たっては片手でベースを把持し、他方の手で金槌を持ってピンを打ち込む必要があり作業性がよくない。ピン孔はベースに２ないし４カ所設けられている場合が多く、これによると、ピンを打ち込むたびにベースが傾きやすく、壁面に対して性格に位置出しすることも難しかった。
【０００６】
【特許文献１】特開２００４−４１５３５号公報
【発明の開示】
【発明が解決しようとする課題】
【０００７】
そこで、本発明は上述した課題を解決するためになされたものであって、その目的は、誰でも簡単かつ確実に壁面に取り付けできる釘打ち式の吊下具を提供することにある。
【課題を解決するための手段】
【０００８】
上述した目的を達成するため、本発明は以下に示すいくつかの特徴を備えている。請求項１に記載の発明は、被支持物を壁面に対して吊り下げるための吊下手段を備えた吊下具本体と、上記壁面に対して固定されるベースとを有し、上記ベースを介して上記吊下具本体が上記壁面に取り付けられる吊下具において、上記ベースには上記被取付面に向けて打ち込まれる仮止めピンが設けられているとともに、上記壁面に向けて本固定用のピンを打ち込むためのガイド孔がさらに設けられていることを特徴としている。
【０００９】
請求項２に記載の発明は、上記ガイド孔は上記仮止めピンを中心に対称位置に配置されていることを特徴としている。
【００１０】
請求項３に記載の発明は、上記ガイド孔は上記壁面に対して所定角度傾けた状態で設けられていることを特徴としている。
【発明の効果】
【００１１】
請求項１に記載の発明によれば、ベースに仮止め用の仮止めピンが設けられていることにより、ベースを所望の位置に位置決めすることができるため、本固定用のピン打ちを確実かつ簡単に行うことができる。また、仮止めピンによってベースが固定されるため、本固定用のピン打ち作業がしやすく、ベースを確実に固定することができる。
【００１２】
請求項２に記載の発明によれば、ガイド孔が仮止めピンを中心に対称位置に設けられていることにより、仮止めした状態を安定に維持しつつ、本固定のピン止めを行うことができる。
【００１３】
請求項３に記載の発明によれば、ガイド孔が傾斜して設けられていることにより、壁面に対して固定ピンを斜めに打ち込むことができ、垂直に打ち込んだ場合よりも、より耐荷重強度を上げることができる。
【発明を実施するための最良の形態】
【００１４】
次に、本発明の実施形態について図面を参照しながら説明する。なお、本発明はこの限りではない。図１（ａ）は本発明の吊下具の吊下具本体の側面図であり、（ｂ）はその背面図、（ｃ）はその中央縦断面図である。図２（ａ）は吊下具のベースの側面図であり、（ｂ）はその正面図である。
【００１５】
この吊下具は正面に吊下用のフックＦを備えた図１に示す吊下具本体１と、同吊下具本体１の図示しない壁面に対して固定するための図２に示すベース２とを備えており、これらは合成樹脂の成型品からなるが、材質については金属製や木製などであってもよい。
【００１６】
吊下具本体１はベース２に対して着脱自在であって、ベース２は壁面に対して本固定用ピン（図示しない）を介して固定される。図１（ａ）〜（ｃ）を参照して、吊下具本体１は、前面（図１（ａ）では左側面）に被吊下物を吊り下げるためのフックＦが設けられており、背面（図１（ａ）では右側面）には、ベース２を収納するための凹部３が設けられている。
【００１７】
図１（ｃ）に示すように、凹部３は吊下具本体１の背面から前面に向かって所定深さ凹まされており、その内部に沿ってベース２がスライド可能な大きさに形成されている。凹部３内にはベース２を固定するための係止リブ３１が左右対称に４カ所設けられている。
【００１８】
各係止リブ３１はベース２のスライド方向（図１（ｂ）では上下方向）に沿って形成された矩形リブからなり、それらが所定間隔をもって配置されている。なお、この例において係止リブ３１は４カ所設けられているが、係止リブ３１の数や形状は仕様に応じて任意に変更可能である。
【００１９】
図１（ｂ）に示すように、凹部３の底面と係止リブ３１との間にはベース２側に設けられた係止爪２１を挟み込んで支持するためのスライド溝３２が形成されている。このスライド溝３２に沿って係止爪２１を係止させることにより、ベース２が吊下具本体１側に固定される。
【００２０】
次に図２（ａ）および（ｂ）を参照して、ベース２は扁平な板状片からなり、左右側面には上述した吊下具本体１に対して引っ掛けられる係止爪２１が左右対称に４カ所設けられている。係止爪２１の形状および数は仕様に応じて任意に変更可能である。
【００２１】
係止爪２１はベース２１の左右両側面から互いに対象に突設された２組（合計４カ所）のフランジ片からなり、それぞれが係止リブ３１に対応した位置に設けられている。
【００２２】
ベース２の背面（図２（ａ）では右側面）の中央には、ベース２を壁面に対して仮止めする際に用いられる仮止めピン２２が設けられている。仮止めピン２２は金属製の針状体からなり、ベース２に一体的に固定されている。この例において、仮止めピン２２は中央に１カ所のみであるが、ベース２の大きさや形状に応じて複数設けてもよい。この仮止めピン２２には出荷時には針先を保護するため、円筒状のカバーが被せられていることが好ましい。
【００２３】
ベース２には本固定用のピン（図示しない）を壁面に打ち込む際に、そのガイド役となるガイド孔２３がこの例では４カ所設けられている。図２（ａ）に示すように、各ガイド孔２３は壁面に対して所定角度傾斜して打ち込まれるように斜めに穿設されている。
【００２４】
各ガイド孔２３は仮止めピン２３を挟んで上下対称位置に設けられている。４カ所のガイド孔２３のうち、上側の２カ所は斜め下に向かって、下側の２カ所は斜め上に向かってピンを打ち込むように形成されている。なお、ガイド孔２３の傾斜方向は仕様に応じて任意に変更可能である。
【００２５】
次に、この吊下具の使用手順の一例について説明する。まず、ベース２を取り付ける壁面に対して仮止めする。仮止め作業は至って簡単であり、ベース２を取り付けたい位置に持っていき、仮止めピン２２を壁面に差し込む。
【００２６】
壁面が石膏ボードなどの比較的軟質なものである場合には、手などを使ってベース２を押し込むことにより簡単に差し込むことができるが、木材などの硬質な材質の場合には、ベース２を金槌などで軽く叩くことでベース２を壁面に仮止めすることができる。
【００２７】
ベース２を仮止めしたのち、各ガイド孔２３に沿って本固定用のピンを金槌などを使って壁面に打ち込んでベース２を本固定する。このとき、ベース２は仮止めされていることにより、両手を本固定作業に使うことができ、作業性がよい。以上により、ベース２が完全に壁面に固定される。
【００２８】
ベース２の取付後は、吊下具本体２の背面をベース２に押し付けるようにして凹部３内にベース２を潜り込ませる。そのまま吊下具本体１をさらに下方にスライドさせてゆくことにより、ベース２の各係止爪２１が吊下具本体１に設けられた係止リブ３１のスライド溝３２に収納されてベース２に吊下具本体１が完全に固定される。これにより、吊下具のフックＦが使用可能になる。
【００２９】
吊下具を除去するに当たっては、上述した手順の逆順で吊下具本体１をベース２から取り外し、ベース２からピンを抜き取り、最後にベース２を壁面から取り外せばよい。
【００３０】
なお、より強固に取り付ける方法として、ベース２に両面粘着テープを貼り付けてもよい。すなわち、本発明はベース２に仮止め用ピン２２を備えていればよく、これを満足すれば、これら各種変形例も本発明に含まれる。
【図面の簡単な説明】
【００３１】
【図１】（ａ）は本発明の一実施形態に係る吊下具の吊下具本体の側面図、（ｂ）はその背面図、（ｃ）は中央縦断面図。
【図２】（ａ）は本発明の一実施形態に係る吊下具のベースの側面図、（ｂ）はその背面図。
【符号の説明】
【００３２】
１  吊下具本体
２  ベース
２１  係止爪
２２  仮止めピン
２３  ガイド孔
３  凹部
３１  係止リブ
Ｆ  フック
【図１】
2006223421.tif 000003
【図２】
2006223421.tif 000004